(57)【要約】【課題】オーバーコート液の使用量を低減することができるインクジェット記録装置およびインクジェット記録方法を提供する。【解決手段】実施形態にかかるインクジェット記録装置は、画像データに応じて記録媒体に対してインクを吐出し、前記記録媒体上に画像を形成する第１ヘッドと、オーバーコート液を吐出して前記第１ヘッドによる画像形成領域上に被膜を形成する第２ヘッドと、前記画像データに基づいて、前記画像形成領域を含む前記記録媒体上の一部の領域を前記オーバーコート液の吐出対象領域とし、前記第２ヘッドによる被膜形成位置を制御する制御手段と、を備える。【選択図】図９
2016221699.tif 000002
【特許請求の範囲】
【請求項１】
画像データに応じて記録媒体に対してインクを吐出し、前記記録媒体上に画像を形成する第１ヘッドと、
オーバーコート液を吐出して前記第１ヘッドによる画像形成領域上に被膜を形成する第２ヘッドと、
前記画像データに基づいて、前記画像形成領域を含む前記記録媒体上の一部の領域を前記オーバーコート液の吐出対象領域とし、前記第２ヘッドによる被膜形成位置を制御する制御手段と、
を備えたインクジェット記録装置。
【請求項２】
前記制御手段は、前記吐出対象領域と前記画像形成領域との間の、前記記録媒体上における距離が所定距離内であれば、その位置にある前記第２ヘッドに前記オーバーコート液を吐出させる、請求項１に記載のインクジェット記録装置。
【請求項３】
前記制御手段は、前記画像データを所定の基礎単位により分割し、当該基礎単位の画像形成領域を中心とする楕円形状の領域を前記吐出対象領域として、前記第２ヘッドに前記オーバーコート液を吐出させる、請求項２に記載のインクジェット記録装置。
【請求項４】
前記制御手段は、前記画像データを所定の基礎単位により分割し、当該基礎単位の画像形成領域を中心とするひし形形状の領域を前記吐出対象領域として、前記第２ヘッドに前記オーバーコート液を吐出させる、請求項２に記載のインクジェット記録装置。
【請求項５】
前記制御手段は、前記画像データを所定の基礎単位により分割し、当該基礎単位の画像形成領域を中心とする長方形形状の領域を前記吐出対象領域として、前記第２ヘッドに前記オーバーコート液を吐出させる、請求項２に記載のインクジェット記録装置。
【請求項６】
前記制御手段は、前記吐出対象領域について、前記記録媒体の搬送方向の長さを、前記記録媒体の幅方向の長さよりも長くした縦長の形状とする、請求項１ないし５のいずれか１つに記載のインクジェット記録装置。
【請求項７】
前記制御手段は、前記画像データを所定の基礎単位により分割し、当該基礎単位の画像形成領域を中心とする真円形状の領域を前記吐出対象領域として、前記第２ヘッドに前記オーバーコート液を吐出させる、請求項２に記載のインクジェット記録装置。
【請求項８】
前記制御手段は、前記第２ヘッドにおいて前記オーバーコート液を所定期間以上吐出していないノズルがあれば、前記第２ヘッドの位置が前記吐出対象領域に無くとも当該ノズルから前記オーバーコート液を吐出させる、請求項１ないし７のいずれか１つに記載のインクジェット記録装置。
【請求項９】
インクジェット記録装置で実行されるインクジェット記録方法であって、
前記インクジェット記録装置は、画像データに応じて記録媒体に対してインクを吐出し、前記記録媒体上に画像を形成する第１ヘッドと、オーバーコート液を吐出して前記第１ヘッドによる画像形成領域上に被膜を形成する第２ヘッドとを備え、
前記画像データに基づいて、前記画像形成領域を含む前記記録媒体上の一部の領域を前記オーバーコート液の吐出対象領域とし、前記第２ヘッドによる被膜形成位置を制御する制御工程を含む、インクジェット記録方法。
【発明の詳細な説明】
【技術分野】
【０００１】
本発明は、インクジェット記録装置およびインクジェット記録方法に関する。
【背景技術】
【０００２】
従来、インクジェット記録装置を商用印刷装置として利用するために、印刷速度の高速化が求められている。高速化に伴いインクの乾燥が不十分となると、印刷物が剥離するブロッキング現象や、ローラにインクが付着して色抜けするピッキング現象などの不具合が生じやすくなる。そこで従来、印刷面にノズルからオーバーコート液を吐出して保護膜を形成する技術が開発されている。
【０００３】
従来技術としては、オーバーコート液を印刷面に吐出してインク付着部分を被覆する被膜を形成することができるインクジェット記録装置に関する技術が開示されている。当該インクジェット記録装置によれば、印刷物の光沢感や耐擦性等を高め得る被膜を形成することができ、印刷物の画像品質と画像堅牢性を向上することができる。
【発明の概要】
【発明が解決しようとする課題】
【０００４】
しかしながら、従来技術では、オーバーコート液で被膜を形成する領域については考慮されていないため、必要以上にオーバーコート液を消費していた。オーバーコート液の使用量が必要以上に多いと、オーバーコート液を貯蔵するタンクを大型化する必要があり、インクジェット記録装置の大型化と製造コスト増加を招いてしまう。また、オーバーコート液の乾燥に時間がかかり、印刷速度の高速化を妨げてしまうといった課題があった。
【０００５】
本発明は、上記に鑑みてなされたものであって、オーバーコート液の使用量を低減することができるインクジェット記録装置およびインクジェット記録方法を提供することを目的とする。
【課題を解決するための手段】
【０００６】
上述した課題を解決し、目的を達成するために、本発明は、画像データに応じて記録媒体に対してインクを吐出し、前記記録媒体上に画像を形成する第１ヘッドと、オーバーコート液を吐出して前記第１ヘッドによる画像形成領域上に被膜を形成する第２ヘッドと、前記画像データに基づいて、前記画像形成領域を含む前記記録媒体上の一部の領域を前記オーバーコート液の吐出対象領域とし、前記第２ヘッドによる被膜形成位置を制御する制御手段と、を備えたことを特徴とする。
【発明の効果】
【０００７】
本発明によれば、画像データに基づいて画像形成領域を含む記録媒体上の一部の領域をオーバーコート液の吐出対象領域とするので、被膜を形成する面積を削減できる。従って、本発明によれば、画像形成領域に対して適切に被膜を形成しつつも、オーバーコート液の使用量を低減することができるという効果を奏する。
【図面の簡単な説明】
【０００８】
【図１】図１は、一実施形態にかかるインクジェット記録装置の概略構成図である。
【図２】図２は、インクジェット記録装置の機能構成を示すブロック図である。
【図３】図３は、用紙とｘｙ座標との関係を示した説明図である。
【図４】図４は、画像形成領域の一座標（ｘｉ、ｙｉ）とヘッド位置（ｘ、ｙ）とを示した説明図である。
【図５】図５は、楕円形状の吐出対象領域を示した説明図である。
【図６】図６は、真円形状の吐出対象領域を示した説明図である。
【図７】図７は、ひし形状の吐出対象領域を示した説明図である。
【図８】図８は、長方形状の吐出対象領域を示した説明図である。
【図９】図９は、インクジェット記録装置が実行する被膜形成処理の手順例を示したフローチャートである。
【発明を実施するための形態】
【０００９】
以下に添付図面を参照して、インクジェット記録装置およびインクジェット記録方法の実施の形態を詳細に説明する。尚、本発明は、以下で説明される実施形態により限定されるものではない。
【００１０】
図１は、一実施形態にかかるインクジェット記録装置１の概略構成図である。図１に示すように、インクジェット記録装置（画像形成装置）１は、用紙搬送部２、画像形成部３を主に備えており、記録媒体である用紙Ｐ上に画像形成を行う。
【００１１】
用紙搬送部２は、給紙ローラ２１、給紙側搬送ローラ対２２、複数の搬送ローラ２３、排紙側搬送ローラ２４及び巻取ローラ２５等を備えている。
【００１２】
給紙ローラ２１は、所定長さの用紙Ｐが巻き付けられたロール紙束を回転可能に支持している。用紙Ｐの先端は、給紙ローラ２１の近傍に配設されている給紙側搬送ローラ対２２のローラ間に挿入されている。
【００１３】
給紙側搬送ローラ対２２は駆動モータによって回転駆動されることで、用紙Ｐを図１に矢印で示す搬送方向（図１の右から左に向かう方向）に送り出す。搬送ローラ２３については、複数のローラが用紙Ｐの搬送方向に並んで水平に配設されている。搬送ローラ２３は、給紙側搬送ローラ対２２から送り出された用紙Ｐを、水平状態を保って搬送方向に搬送する。
【００１４】
排紙側搬送ローラ２４は、搬送ローラ２３によって搬送されてきた用紙Ｐを、巻取ローラ２５へガイドする。巻取ローラ２５は駆動モータによって回転駆動され、給紙ローラ２１から送り出された用紙Ｐを巻き取る。
【００１５】
尚、上述では、給紙ローラ２１と巻取ローラ２５との間に記録媒体としてのロール紙を張架する構成例について説明したが、実施形態はこれに限定されない。その他の構成例として、給紙ローラ２１および巻取ローラ２５に替えて、無端状の搬送ベルトを張架する２つのローラを設けてもよい。そして、インクジェット記録装置１は当該ローラ対を駆動モータによって回転駆動し、搬送ベルトを図１に示す搬送方向に搬送することにより、搬送ベルト上のカット紙を搬送してもよい。
【００１６】
画像形成部３は、有色ラインヘッドユニット３１と、オーバーコートラインヘッドユニット３２を主に備えている。
【００１７】
有色ラインヘッドユニット３１は、ブラック（Ｂｋ）、シアン（Ｃ）、マゼンタ（Ｍ）、イエロー（Ｙ）の各色のラインヘッドユニット３１Ｂｋ、３１Ｃ、３１Ｍ、３１Ｙが搬送方向に順次並んで配設されている。各色のラインヘッドユニット３１Ｂｋ、３１Ｃ、３１Ｍ、３１Ｙの用紙Ｐ側の面には、各色のインク吐出ノズルが主走査方向に複数個並んで設けられている。各インク吐出ノズルはそれぞれ、各色のインクを、搬送ローラ２３によって搬送されている用紙Ｐに向かって吐出する。
【００１８】
各色のラインヘッドユニット３１Ｂｋ、３１Ｃ、３１Ｍ、３１Ｙは、用紙搬送部２による用紙Ｐの搬送にタイミングを合わせて、対応する色のインクを順次同じドット上に重ね合わせて吐出する。これにより、インクジェット記録装置１は、画像データに応じた色のドット画像を形成する。
【００１９】
各色のラインヘッドユニット３１Ｂｋ、３１Ｃ、３１Ｍ、３１Ｙから吐出される各色のインクは、顔料等の色剤を溶剤に溶け込ませたものが主に用いられる。尚、インクの構成はこのような構成に限るものではなく、例えば、色剤として染料を用いたものであってもよい。
【００２０】
なお、有色ラインヘッドユニット３１が有するラインヘッドユニットは、上述したように、ブラック（Ｂｋ）、シアン（Ｃ）、マゼンタ（Ｍ）、イエロー（Ｙ）の各色のラインヘッドユニット３１Ｂｋ、３１Ｃ、３１Ｍ、３１Ｙに限るものではない。例えば、インクジェット記録装置１は、有色ラインヘッドユニット３１として、ライトグレー、ライトシアン、ライトマゼンタ等の薄色、あるいは、その他の特色を吐出するラインヘッドユニットを備えてもよい。また、ラインヘッドユニット３１Ｂｋ、３１Ｃ、３１Ｍ、３１Ｙの搬送方向に対する並び順は、上記並び順に限定されない。
【００２１】
インクジェット記録装置１は、有色ラインヘッドユニット３１の最下流に設けられたラインヘッドユニット３１Ｙから所定間隔を空けた搬送方向下流側において、オーバーコートラインヘッドユニット３２を備えている。
【００２２】
オーバーコートラインヘッドユニット３２は、主走査方向に用紙Ｐの幅よりも長く延在する状態で配設されている。オーバーコートラインヘッドユニット３２において用紙Ｐ側の面には、主走査方向に複数の吐出ノズルが設けられている。各吐出ノズルは、搬送ローラ２３及び排紙側搬送ローラ２４によって搬送されている用紙Ｐに向かってオーバーコート液を吐出する。
【００２３】
尚、各色のラインヘッドユニット３１Ｂｋ、３１Ｃ、３１Ｍ、３１Ｙ及びオーバーコートラインヘッドユニット３２の駆動方式は特に限定されるものではなく、適宜、各種駆動方式を用いるとしてよい。例えば、駆動方式として、ＰＺＴ(チタン酸ジルコン酸鉛)等の圧電素子を用いた圧電方式、熱エネルギーを作用させる熱エネルギー方式等を用いることができる。あるいは、駆動方式として、静電気力を利用した静電方式等のアクチュエータを利用したオンディマンド型ヘッド、連続噴射型荷電制御ヘッド等を用いることができる。
【００２４】
次に、インクジェット記録装置１の機能構成について説明する。
【００２５】
図２は、インクジェット記録装置１の機能構成を示すブロック図である。インクジェット記録装置１は、主制御部１０１、有色インクヘッド制御部１０２、オーバーコートヘッド制御部１０３、有色ラインヘッドユニット３１（図１も参照）、オーバーコートラインヘッドユニット３２（図１も参照）を備えている。
【００２６】
有色ラインヘッドユニット３１は、画像データに応じて記録媒体に対して有色インクを吐出し、記録媒体上に画像を形成する第１ヘッドとして機能する。オーバーコートラインヘッドユニット３２は、オーバーコート液を吐出して、有色ラインヘッドユニット３１による画像形成領域上に被膜を形成する第２ヘッドとして機能する。
【００２７】
また、インクジェット記録装置１は、上記各部の他に搬送駆動部、通信部等を備えている。また、インクジェット記録装置１は、インクジェット記録装置１の周囲の環境条件、特に、温度、湿度のうち少なくともいずれか一方を検出する環境検出センサを備えている。環境検出センサとしては、例えば、温度センサ、湿度センサ等が用いられる。
【００２８】
主制御部１０１は、ＣＰＵ（Central  Processing  Unit）、ＲＯＭ（Read  Only  Memory）、ＲＡＭ（Random  Access  Memory）を備えている。また、主制御部１０１は、ＡＳＩＣ（Application  Specific  Integrated  Circuit）、通信Ｉ／Ｆ（インターフェイス）等を備えている。ＲＯＭは、インクジェット記録装置１の基本プログラムと、オーバーコート液吐出制御処理を実行するためのプログラムとを格納している。ＣＰＵは、ＲＯＭが格納する各種プログラムをＲＡＭ上に展開して実行することにより、インクジェット記録装置１の各部の動作を制御する。
【００２９】
主制御部１０１は、ＣＰＵの制御下で、通信Ｉ／Ｆを介して外部のコンピュータ等のホスト装置と通信して、画像データ等の画像形成情報（印刷ジョブ等）を受信する。また、主制御部１０１は、ＣＰＵの制御下で、ＡＳＩＣが、ホスト装置から受信した画像データに対して、画像形成するのに必要な画像処理を施す。また、主制御部１０１は、受信した画像データを画像処理して、各色のインク吐出量と吐出タイミングとを決定し、有色ヘッド駆動データとして有色インクヘッド制御部１０２に出力する。
【００３０】
さらに、主制御部１０１は、画像データに基づいて、画像形成領域を含む記録媒体上の一部の領域を、オーバーコート液の吐出対象領域として決定する。そして、主制御部１０１は、吐出対象領域の位置情報（例えば、座標データ）からオーバーコート液の吐出タイミングと吐出量（または、吐出を行うノズルの識別子）とを決定する。主制御部１０１は、決定した位置情報、吐出タイミング、吐出量等の情報をオーバーコートヘッド駆動データとして、オーバーコートヘッド制御部１０３に出力する。
【００３１】
また、主制御部１０１は、オーバーコート液の吐出対象領域と、有色インクの画像形成領域との間の、用紙Ｐ上における距離が所定距離内であれば、その位置にあるオーバーコートラインヘッドユニット３２にオーバーコート液を吐出させる。これにより、主制御部１０１は、オーバーコートラインヘッドユニット３２による被膜形成位置を制御する。
【００３２】
より具体的には、主制御部１０１は、画像データを所定の基礎単位により分割し、当該基礎単位の画像形成領域を中心とする各種形状の領域をオーバーコート液の吐出対象領域に設定する。吐出対象領域の形状としては、例えば、楕円形状、真円形状、ひし形形状、長方形形状、正方形形状などを適用することができる。
【００３３】
オーバーコート液の吐出対象領域の好適な形状としては、縦方向の長さを横方向の長さよりも長くした縦長の形状にするとよい。縦方向の長さとは、用紙Ｐの搬送方向の長さであり、横方向の長さとは、用紙Ｐの幅方向の長さのことである。
【００３４】
このようにオーバーコート液の吐出対象領域を用紙搬送方向に対して縦長の形状とすることで、下記のような効果が得られる。即ち、長時間使用していないノズルでは、オーバーコート液の粘度が上がって吐出までに時間がかかる。用紙Ｐは高速で搬送されるので、吐出が少しでも遅れるとオーバーコート液の着弾位置が用紙搬送方向にずれることとなる。そこで本実施形態では、吐出対象領域の用紙搬送方向の長さを用紙幅方向の長さよりも大きく設定した。これにより、オーバーコート液の粘度が増加して吐出のタイミングが遅れた場合にも、オーバーコート液によって有色インクの画像形成領域を確実にコートすることができる。
【００３５】
次に、主制御部１０１が画像データを分割し、分割後の画像形成領域を中心とする所定領域をオーバーコート液の吐出対象領域として設定する処理について、図とともに説明する。尚、以下では、画像データをピクセル単位で分割する例について説明するが、画像データを分割する基礎単位はこれに限定されない。主制御部１０１は、画像形成領域をその他の基礎単位で分割してもよく、複数のピクセルを基礎単位として画像形成領域を分割してもよい。また、主制御部１０１はその他の基礎単位で画像データを分割してもよい。
【００３６】
図３は、用紙Ｐとｘｙ座標との関係を示した説明図である。本実施形態では、図３に示すように、用紙Ｐの幅方向をｘ軸方向とし、用紙Ｐの搬送方向をｙ軸方向として設定した。尚、上述のようにロール紙を用いる構成においては、ロール紙に対して設定された所定の印刷領域を図３に示す用紙Ｐの用紙サイズとした上で、ｘｙ座標を適用すればよい。一方、カット紙を用いる構成においては、そのカット紙１枚分の用紙サイズを図３に示す用紙Ｐの用紙サイズとして、ｘｙ座標を適用すればよい。
【００３７】
主制御部１０１は、画像データをピクセル単位に分割し、各ピクセルに対応付けられている画像データ（色データ、濃度データ等）に基づいて、その座標のピクセルが画像形成領域であるか否かを判定する。
【００３８】
図４は、画像形成領域の一座標（ｘｉ、ｙｉ）とヘッド位置（ｘ、ｙ）とを示した説明図である。図４では、オーバーコートラインヘッドユニット３２のヘッド位置（すなわち当該ヘッドによる用紙Ｐ上の吐出対象領域）を座標（ｘ、ｙ）で示している。また、１ピクセル分の画像形成領域を座標（ｘｉ、ｙｉ）で示している。従って、ヘッド位置と画像形成領域との間のｘ軸方向の距離は、Δｘ＝｜ｘ−ｘｉ｜で表され、ｙ軸方向の距離は、Δｙ＝｜ｙ−ｙｉ｜で表される。尚、ここでいう距離とは、用紙の平面上における離間距離のことであり、ヘッドと用紙との高さ方向を含めた距離を指すものではない。
【００３９】
概略的に言うと、主制御部１０１は、Δｘ、Δｙにより表される、上記１ピクセル分の画像形成領域を中心とする各種図形の内側の領域にヘッド位置が位置した際に、オーバーコートラインヘッドユニット３２にオーバーコート液を吐出させる。以下では、図５ないし図８とともに、吐出対象領域の各種形状例について説明する。尚、図５ないし図８では、Δｘ、Δｙを座標軸として用いる。即ち、換言すれば、所定の１ピクセル分の画像形成領域を中心とし、その中心位置からヘッド位置までの離間距離を示した相対的な座標Δｘ、Δｙを座標軸として用いる。
【００４０】
図５は、楕円形状の吐出対象領域を示した説明図である。主制御部１０１は、ヘッド位置（ｘ、ｙ）が次式１を満たす場合に、当該ヘッド位置が吐出対象領域内にあると判定する。
Δｘ２／ａ２＋Δｙ２／ｂ２≦１（ａ、ｂ：任意定数）                （式１）
尚、上述したように、吐出対象領域はｘ方向よりｙ方向に長い縦長の領域であることが好ましいので、式１および図５では、ｂ＞ａとすることが好ましい。
【００４１】
図６は、真円形状の吐出対象領域を示した説明図である。式１においてａ＝ｂとすると、吐出対象領域は真円形状となる。吐出対象領域は上述したように縦長の領域とすることが好ましいが、縦長に限らず、このように縦横の長さを同じとしてもよい。
【００４２】
図７は、ひし形状の吐出対象領域を示した説明図である。主制御部１０１は、ヘッド位置（ｘ、ｙ）が次式２を満たす場合に、当該ヘッド位置が吐出対象領域内にあると判定する。
ｃ＊Δｘ＋Δｙ＜ｄ（ｃ、ｄ：任意定数）                            （式２）
【００４３】
図８は、長方形状の吐出対象領域を示した説明図である。主制御部１０１は、ヘッド位置（ｘ、ｙ）が次式３を満たす場合に、当該ヘッド位置が吐出対象領域内にあると判定する。
Δｘ＞ｅ、Δｙ＞ｆ（ｅ、ｆ：任意定数）                            （式３）
尚、上述したように、吐出対象領域はｘ方向よりｙ方向に長い縦長の領域であることが好ましいので、式３では、ｅ＜ｆとすることが好ましい。但し、これに限定されず、ｅ＝ｆとして縦横の長さを同じとし、吐出対象領域を正方形形状としてもよい。
【００４４】
式１〜式３においてａ〜ｆは任意定数としたが、インクジェット記録装置１の設定パネル等からその値の変更を可能とし、吐出対象領域のサイズを変更可能としてもよい。あるいは、インクジェット記録装置１に接続した情報処理装置から、ａ〜ｆの値を変更できるように構成してもよい。
【００４５】
次に、インクジェット記録装置１が実行する被膜形成処理の手順例について説明する。図９は、インクジェット記録装置１が実行する被膜形成処理の手順例を示したフローチャートである。オーバーコート液の吐出条件として上記式１を適用する場合、即ち、吐出対象領域を図５に示すような楕円形状とする場合について説明する。
【００４６】
まず、主制御部１０１は、通信Ｉ／Ｆ等を介して画像データが入力されると（ステップＳ１）、受信した画像データをピクセルごとに分解する（ステップＳ２）。
【００４７】
次に、主制御部１０１は、オーバーコートラインヘッドユニット３２のヘッド位置（ｘｊ、ｙｋ）（ｊ＝１、２、・・・ｎ、ｋ＝１、２、・・・ｍ）をｘ方向、ｙ方向に１ピクセルずつインクリメントさせながら、各座標のヘッド位置に対して順次、吐出条件が満たされるか否かを判定する。尚、ｘｎは印刷可能領域の用紙幅方向の端部（即ち、印刷可能領域の右端部）におけるヘッド位置を示し、ｙｍは印刷可能領域の用紙搬送方向の端部（即ち、印刷可能領域の下端部）におけるヘッド位置を示す。
【００４８】
主制御部１０１はまず、例えばｊ＝１、ｋ＝１として、オーバーコートラインヘッドユニット３２のヘッド位置（ｘｊ、ｙｋ）が、上記式１で示される吐出条件を満たすか否かを判定する（ステップＳ３）。
【００４９】
このヘッド位置について吐出条件が満たされるならば（ステップＳ３：Ｙｅｓ）、主制御部１０１は、オーバーコートヘッド制御部１０３に当該ヘッド位置座標（ｘｊ、ｙｋ）と対応付けた吐出信号を出力する。そして、オーバーコートヘッド制御部１０３は、当該ヘッド位置（ｘｊ、ｙｋ）に位置したオーバーコートラインヘッドユニット３２にオーバーコート液を吐出させる（ステップＳ４）。吐出条件が満たされない場合（ステップＳ３：Ｎｏ）、主制御部１０１は吐出信号を出力せずに、ステップＳ５に移行する。
【００５０】
次に、主制御部１０１は、ｊ＝ｎとなり、ステップＳ３で判定対象としたヘッド位置のｘ座標がｘｎとなって、判定対象のヘッド位置が印刷可能領域の用紙幅方向の端部まで達したか判定する（ステップＳ５）。端部まで達していない場合には（ステップＳ５：Ｎｏ）、主制御部１０１はｊを１だけ増加させて、即ち、ヘッド位置のｘ座標を１ピクセル分増加させて（ステップＳ７）、ステップＳ３の吐出条件判定に戻る。
【００５１】
ｊ＝ｎとなって用紙幅方向の端部に達した場合（ステップＳ５：Ｙｅｓ）には、主制御部１０１はｋを１だけ増加させて、即ち、ヘッド位置のｙ座標を１ピクセル分増加させる（ステップＳ６）。そして主制御部１０１は、ヘッド位置のｙ座標がｙｋ＞ｙｍとなったか判定する。即ち、主制御部１０１は、判定対象のヘッド位置のｙ座標が、印刷可能領域の用紙搬送方向の端部のｙ座標を上回ったか判定する（ステップＳ８）。ｙｋ＞ｙｍとなった場合（ステップＳ８：Ｙｅｓ）には、主制御部１０１は被膜形成処理を終了する。ｙｋ＞ｙｍとなっていない場合（ステップＳ８：Ｎｏ）には、主制御部１０１は、所定期間吐出していないノズルがあるか否かを判定する（ステップＳ９）。
【００５２】
所定期間吐出していないノズルがあれば（ステップＳ９：Ｙｅｓ）、主制御部１０１はそのノズルの識別子とともに吐出信号を出力する。オーバーコートヘッド制御部１０３は、識別子で示されたノズルにオーバーコート液を吐出させて（ステップＳ１０）、その後はステップＳ３に移行する。所定期間吐出していないノズルが無い場合（ステップＳ９：Ｎｏ）には、主制御部１０１は吐出を行わずにステップＳ３に移行する。
【００５３】
上述のように、主制御部１０１は、オーバーコートラインヘッドユニット３２が備える複数のノズルにおいて、オーバーコート液を所定期間（所定時間）以上吐出していないノズルがあるか否かを判定する。そして、主制御部１０１は、所定期間以上吐出していないノズルがあれば、オーバーコート液の吐出対象領域でなくとも、当該ノズルからオーバーコート液を吐出させる。尚、主制御部１０１は、吐出の無かった期間（時間）をカウントするのではなく、判定を行った画素数をカウントして、所定ピクセル分判定処理を行う間に一度も吐出が無かったノズルに対して、吐出信号を出力してもよい。
【００５４】
インクジェットヘッドのノズルは吐出せずに長期間経過してしまうと、ノズル詰まりを起こしてしまう。これに対して本実施形態のインクジェット記録装置１は、一定期間オーバーコート液を吐出していないノズルがあれば、画像形成領域上でなくともオーバーコート液を吐出するようにした。オーバーコート液は無色であるため、このように画像形成領域以外に吐出しても何ら問題は生じない。これにより、本実施形態のインクジェット記録装置１は、ノズル詰まりを防止することにより、オーバーコート液の吐出制御の質向上を図ることができる。
【００５５】
以上説明した通り、本実施形態のインクジェット記録装置１によれば、従来のように用紙Ｐ全面にわたってオーバーコート液を吐出するのではなく、画像形成領域を含んだ、用紙Ｐ上の一部の領域に対してオーバーコート液を吐出する。従って、本実施形態によれば、有色インクによる画像形成領域に対して適切に被膜を形成しつつも、オーバーコート液の使用量を低減することができるという効果を奏する。
【００５６】
なお、本実施形態のインクジェット記録装置１で実行されるプログラムは、ＲＯＭ等に予め組み込まれて提供される。本実施形態のインクジェット記録装置１で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００５７】
さらに、本実施形態のインクジェット記録装置１で実行されるプログラムを、インターネット等のネットワークに接続されたコンピュータ上に格納し、ネットワーク経由でダウンロードさせることにより提供するように構成しても良い。また、本実施形態のインクジェット記録装置１で実行されるプログラムをインターネット等のネットワーク経由で提供または配布するように構成しても良い。
【符号の説明】
【００５８】
１  インクジェット記録装置
３１  有色ラインヘッドユニット
３２  オーバーコートラインヘッドユニット
１０１  主制御部
１０２  有色インクヘッド制御部
１０３  オーバーコートヘッド制御部
【先行技術文献】
【特許文献】
【００５９】
【特許文献１】特開２００３−０５３９４２号公報
【特許文献２】特許第５１０１１８７号公報
【図１】
2016221699.tif 000003
【図２】
2016221699.tif 000004
【図３】
2016221699.tif 000005
【図４】
2016221699.tif 000006
【図５】
2016221699.tif 000007
【図６】
2016221699.tif 000008
【図７】
2016221699.tif 000009
【図８】
2016221699.tif 000010
【図９】
2016221699.tif 000011